(57)【要約】      （修正有）【課題】虫を確実に捕獲し、殺虫することができる捕虫器を提供する。【解決手段】開口１２を有する箱状で、開口と対向する面から棒状の柄１６が突出している、虫を捕獲するための捕獲容器１０と、殺虫剤を噴霧するスプレー缶を捕獲容器に着脱自在に固定するための固定手段３０と、スプレー缶の噴霧ヘッドの噴出口と捕獲容器内とを連通させる注入管４０と、噴霧ヘッドを押圧する押圧部５２と柄の開放端側で操作することで押圧部を動作させて噴霧ヘッドの噴出口から殺虫剤を噴霧させる操作レバー部５４とを有する噴霧操作手段５０と、を備える。【選択図】図１
0003229726.tif 000002
【実用新案登録請求の範囲】
【請求項１】
開口を有する箱状で、開口と対向する面から棒状の柄が突出している、虫を捕獲するための捕獲容器と、
殺虫剤を噴霧するスプレー缶を前記捕獲容器に着脱自在に固定するための固定手段と、
前記スプレー缶の噴霧ヘッドの噴出口と前記捕獲容器内とを連通させる注入管と、
前記噴霧ヘッドを押圧する押圧部と、前記柄の開放端側で操作することで前記押圧部を動作させて前記噴霧ヘッドの前記噴出口から殺虫剤を噴霧させる操作レバー部とを有する噴霧操作手段と
を備えていることを特徴とする捕虫器。
【請求項２】
前記捕獲容器に、殺虫剤を注入するための注入孔が穿設されていることを特徴とする請求項１に記載の捕虫器。
【請求項３】
前記捕獲容器は、前記開口の一部を覆う鍔部を備えていることを特徴とする請求項１または２に記載の捕虫器。
【請求項４】
前記柄は伸縮自在で、前記開口と対向する面に揺動可能に取り付けられていることを特徴とする請求項１〜３のいずれか一項に記載の捕虫器。
【考案の詳細な説明】
【技術分野】
【０００１】
本考案は、ゴキブリ、蠅、蚊等の虫を捕獲し、殺虫する捕虫器に関する。
【背景技術】
【０００２】
従来より、ゴキブリ、蠅、蚊等の虫を発見した際、叩き殺そうとしたり、殺虫剤を噴霧したりしても、虫の動きが速いため、逃げられてしまうことが多かった。また、殺すことができたとしても、虫の死骸や汚してしまった床等の処理をしなければならなかった。
【０００３】
そこで、害虫を手や床、壁等を汚さずに捕獲して殺し、かつ、廃棄処理できるものとして、特許文献１の害虫の捕殺器は、筒状の柄の先端に下面が開口した箱状の捕獲ケースを設けるとともに、柄に操作バーを内挿し、バーの下端に捕獲ケースに昇降自在に内装されたホルダを固定し、ホルダは表面に粘着性被膜を形成された捕獲板を１又は２以上装着して保持する構造としてなることを特徴としている。
【０００４】
また、特許文献２の捕虫具は、透明で蓋状の捕虫ケースと、内側に粘着面を有する捕虫箱と、捕虫ケースの外側に取付けると共に捕虫ケースの内側に捕虫箱が着脱可能に設けられるための捕虫箱着脱具と、捕虫箱着脱具に先端を回動可能に取付けた柄と、から構成したことを特徴としている。
【先行技術文献】
【特許文献】
【０００５】
【特許文献１】実開昭５４−７６２８１号公報
【特許文献２】特許第６０２６６０５号公報
【考案の概要】
【考案が解決しようとする課題】
【０００６】
しかしながら、従来の捕虫器は粘着性被膜を用いているものが多く、粘着力を保持するためには使用直前に粘着面の上に設けた剥離紙を剥がし、組立をする必要があった。このため、虫を見つけた瞬間に捕虫器を手に取ってすぐ使用するということができず、虫を取り逃がしてしまうことが多かった。
【０００７】
本考案は、このような事情に鑑みてなされたもので、虫を確実に捕獲し、殺虫することができる捕虫器を提供することを目的とする。
【課題を解決するための手段】
【０００８】
請求項１記載の捕虫器は、開口を有する箱状で、開口と対向する面から棒状の柄が突出している、虫を捕獲するための捕獲容器と、殺虫剤を噴霧するスプレー缶を捕獲容器に着脱自在に固定するための固定手段と、スプレー缶の噴霧ヘッドの噴出口と捕獲容器内とを連通させる注入管と、噴霧ヘッドを押圧する押圧部と、柄の開放端側で操作することで押圧部を動作させて噴霧ヘッドの噴出口から殺虫剤を噴霧させる操作レバー部とを有する噴霧操作手段とを備えていることを特徴とする。
【０００９】
請求項２記載の捕虫器は、捕獲容器に、殺虫剤を注入するための注入孔が穿設されていることを特徴とする。
【００１０】
請求項３記載の捕虫器は、捕獲容器が、開口の一部を覆う鍔部を備えていることを特徴とする。
【００１１】
請求項４記載の捕虫器は、柄が伸縮自在で、開口と対向する面に揺動可能に取り付けられていることを特徴とする。
【考案の効果】
【００１２】
本考案によれば、開口を有する箱状で、開口と対向する面から棒状の柄が突出する捕獲容器と、柄の開放端側での操作に起因した押圧部の動作により殺虫剤を噴霧させる噴霧操作手段とを含むことによって、虫を確実に捕獲し、殺虫することができる捕虫器を提供することができる。
【図面の簡単な説明】
【００１３】
【図１】本考案に係る捕虫器の実施例を示す説明図である。
【図２】同実施例の使用状態を表す説明図である。
【図３】同実施例の底面を示す説明図である。
【図４】同実施例の噴霧操作手段を示す説明図である。
【考案を実施するための形態】
【００１４】
以下、本考案の形態について図面を参照しながら具体的に説明する。
図１は、本考案に係る捕虫器の実施例の使用前の状態を表す斜視図である。図２は、同実施例の使用状態を表す斜視図である。図３は、同実施例の底面側の部分斜視図である。図４（ａ）は、図１に示す噴霧操作手段の操作レバー部を操作する前の状態の押圧部を示し、図４（ｂ）は、図２に示す操作レバー部を操作した状態での押圧部の動きを示す拡大正面図である。
【００１５】
本考案に係る捕虫器１は、ゴキブリ、蠅、蚊等の虫を捕獲し、殺虫することができるものである。捕虫器１は、図１、２に示すように、捕獲容器１０、固定手段３０、注入管４０、噴霧操作手段５０を備えている。
【００１６】
捕獲容器１０は、虫を捕獲するためのものであって、開口１２を有する箱状で、開口と対向する面１４から棒状の柄１６が突出している。捕獲容器１０の大きさは任意であり、形状も開口１２を有する箱状であれば任意である。材質についても、合成樹脂、ガラス、紙、布、金属等任意であるが、透明または透光性で中の様子が分かるものが好ましい。なお、箱状とは、中空であって、例えば、直方体、立方体等が挙げられるが、平面視で略四角形、円形、半円形、楕円形、多角形等のものも含まれる。
【００１７】
固定手段３０は、殺虫剤を噴霧するスプレー缶Ｓを捕獲容器１０に着脱自在に固定するためのものである。例えば、弾性素材からなるベルトや、ネジ、係合具等を含む取付具、粘着テープ等の固定手段３０を用いて、スプレー缶Ｓを捕獲容器１０の箱状の部分および／または柄１６に固定する。スプレー缶Ｓは固定手段３０によって着脱自在に固定されているため、容易に取り替えることができる。
【００１８】
注入管４０は、スプレー缶Ｓの噴霧ヘッドＨの噴出口Ｊと捕獲容器１０内とを連通させるチューブである。注入管４０の一端はスプレー缶Ｓの噴出口Ｊと連結され、他端は捕獲容器１０に穿設された貫通孔を貫通するなどして捕獲容器１０内に挿入されている。これにより、スプレー缶Ｓから噴霧された殺虫剤は注入管４０を通って捕獲容器１０内に流入することができる。
【００１９】
噴霧操作手段５０は、押圧部５２と操作レバー部５４からなる。押圧部５２は、スプレー缶Ｓの噴霧ヘッドＨを押圧するためのものであり、操作レバー部５４は、柄１６の開放端１８側で操作することで押圧部５２を動作させて噴霧ヘッドＨの噴出口Ｊから殺虫剤を噴霧させるものである。押圧部５２は板状、ブロック状等である。操作レバー部５４は把手部と、把手部と押圧部５２とを連結する連結部とからなり、把手部と連結部は一体成形されていてもよいし、分離した部材であってもよい。なお、押圧部５２は、連結部と一体成形されていてもよい。把手部はレバー状やワイヤを環状に形成したもの等であり、連結部は棒状、ワイヤ状等である。噴霧操作手段５０は、操作レバー部５４が柄１６の開放端１８側で操作されたことに起因して、押圧部５２を例えば垂直方向へ平行移動させる、あるいは、梃子の原理により揺動させて、スプレー缶Ｓの噴霧ヘッドＨを押圧する。これにより、噴霧ヘッドＨの噴出口Ｊから殺虫剤を噴霧させることができる。
【００２０】
本考案に係る捕虫器１は、開口１２を有する箱状で、開口と対向する面１４から棒状の柄１６が突出する捕獲容器１０と、操作レバー部５４の柄１６の開放端１８側での操作に起因した押圧部５２の動作により殺虫剤を噴霧させる噴霧操作手段５０とを含むことにより、虫を確実に捕獲し、殺虫することができる。
【００２１】
捕虫器１は、捕獲容器１０に、殺虫剤を注入するための注入孔２０が１または複数個穿設されていることが好ましい。捕虫器１に固定手段３０により固定されているスプレー缶Ｓからの噴霧に加えて、必要に応じて捕虫器１に固定されていない別のスプレー缶Ｓ１を用いることにより、例えば他の成分を含む殺虫剤を噴霧することが可能になる。スプレー缶Ｓ１の噴霧ヘッドＨ１の噴出口Ｊ１を注入孔２０に直接当てて噴霧してもよいが、噴出口Ｊ１に筒状の噴射ノズルを連結させて用いることがより好ましい。噴射ノズルを注入孔２０に挿入して噴霧すると効率的に殺虫剤を捕獲容器１０内に注入することができる。
【００２２】
また、捕獲容器１０は、図３に示すように、開口１２の一部を覆う鍔部２２を備えていることが好ましい。鍔部２２に虫の死骸を収容してゴミ箱に捨てれば、死骸を直接触ることなく廃棄処理できる。
【００２３】
捕獲容器１０の柄１６は、中空であっても、中実であってもよく、また、一本の棒からなるものであってもよいが、複数の要素から構成されて伸縮自在であることが好ましい。さらに、柄１６は、開口と対向する面１４に特定の角度で固定、あるいは、回動可能であってもよいが、一定の方向に揺動可能であることが好ましい。これにより、室内の壁の高い位置や天井などの虫も捕獲しやすくなり、柄１６が中空であれば軽量化にもつながる。
【実施例】
【００２４】
以下、実施例を示して本願の捕虫器について説明する。
【００２５】
本実施例では、捕虫器１は、図１、２に示すように、捕獲容器１０、固定手段３０、注入管４０、噴霧操作手段５０を備えている。
【００２６】
捕獲容器１０は、下向きの開口１２を有する箱状で、開口と対向する面１４から柄１６が突出し、図２に示す円弧状の両矢印の方向に揺動可能である。捕獲容器１０の箱状の部分は、ポリプロピレン製で縦２８０ｍｍ×横２００ｍｍ×高さ１００ｍｍの略直方体である。捕獲容器１０には、直径５ｍｍの注入孔２０が開口と対向する面１４と側壁に合わせて２個穿設されている。また、捕獲容器１０は、図３に示すように、開口１２の周縁の横辺の一方から長手方向に約５０ｍｍ延在する鍔部２２を備えている。柄１６はスチール製で２つの中空の棒状部材が連結したものであり、長さが８１０ｍｍ〜１３００ｍｍの範囲で図２の上方に示す両矢印の方向に伸縮自在である。
【００２７】
殺虫剤を含むスプレー缶Ｓは、捕獲容器１０の柄１６に２つのゴムバンドからなる固定手段３０により着脱自在に固定されている。注入管４０の一端がスプレー缶Ｓの噴霧ヘッドＨの噴出口Ｊに連結され、注入管４０の他端が捕獲容器１０の開口と対向する面１４に設けられた直径５ｍｍの貫通孔を通って捕獲容器１０内に配置されている。これにより、スプレー缶Ｓと捕獲容器１０は互いに連通している。また、スプレー缶Ｓの固定位置を決めやすくするため、円形の板状で一部が柄１６に固定された位置決め部材Ｐを備えており、スプレー缶Ｓの底部が位置決め部材Ｐに接触している。
【００２８】
噴霧操作手段５０は、押圧部５２と操作レバー部５４とからなる。押圧部５２は長方形の板状部材であり、スプレー缶Ｓの噴霧ヘッドＨを押圧することによって殺虫剤の噴霧が可能な位置に配置されている。操作レバー部５４は、柄１６の開放端１８側から突出したレバー状の把手部と、中空の柄１６内に配置され、把手部の柄１６側端部と押圧部５２の柄１６側端部とを連結する連結部からなる。使用前の状態である図１および図４（ａ）では、押圧部５２はスプレー缶ＳのヘッドＨに接触しているが押圧していない。
【００２９】
次に、捕虫器１の使用方法について説明する。
例えば、室内でゴキブリを発見した際、急いで捕虫器１の捕獲容器１０の柄１６を持って箱状の部分をゴキブリの上にかぶせてゴキブリを捕獲する。必要であれば柄１６を図２に示すように伸長、傾斜させて、長さや角度の調節を行ってから使用する。
【００３０】
捕獲容器１０内に捕獲したゴキブリを殺虫するために、柄１６の開放端１８付近（図２に示すように柄１６を伸長させた場合には、柄１６の開放端１８よりも少し下側に位置する）にある噴霧操作手段５０の操作レバー部５４の把手部を柄１６側に倒す。すると、把手部の柄１６側端部と押圧部５２の柄１６側端部とを連結する連結部が引き上げられ、押圧部５２は、図４（ａ）の状態から上方に移動する。そして、図２、図４（ｂ）に示すように押圧部５２はスプレー缶Ｓの噴霧ヘッドＨを押圧して噴霧ヘッドＨの噴出口Ｊから殺虫剤を噴霧させる。噴霧された殺虫剤は注入管４０を通って捕獲容器１０内に流入する。
【００３１】
また、捕虫器１に固定されているスプレー缶Ｓの殺虫剤が噴霧途中でなくなってしまった、または、スプレー缶Ｓに入っている殺虫剤とは異なる成分を含む殺虫剤を使用したい場合がある。そして、この時、急いでいる、または、捕虫器１を動かすと逃げられてしまう等の理由でスプレー缶Ｓの取り替えが難しいことがある。その場合、固定されていないスプレー缶Ｓ１の噴霧ヘッドＨ１の噴出口Ｊ１にノズルを取り付け、ノズルを捕獲容器１０の注入孔２０に挿入して殺虫剤を噴霧させることができる。
【００３２】
ゴキブリを殺虫したら、捕虫器１を水平方向に移動させて、ゴキブリの死骸を捕獲容器１０の鍔部２２の上に乗せる。そして、そのまま捕虫器１をゴミ箱まで運び、捕獲容器１０を傾けて死骸を廃棄する。
【００３３】
捕虫器１は、開口１２を有する箱状で、開口と対向する面１４から棒状の柄１６が突出する捕獲容器１０と噴霧操作手段５０を含むことによって、素早く動く虫を確実に捕獲し、殺虫することができる。また、手を汚すことなく死骸を廃棄することができる。
【００３４】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３５】
本考案により、虫を確実に捕獲し、殺虫することができる捕虫器を提供することができる。
【符号の説明】
【００３６】
１・・・・・捕虫器
１０・・・・捕獲容器
１２・・・・開口
１４・・・・開口と対向する面
１６・・・・柄
１８・・・・開放端
２０・・・・注入孔
２２・・・・鍔部
３０・・・・固定手段
４０・・・・注入管
５０・・・・噴霧操作手段
５２・・・・押圧部
５４・・・・操作レバー部
【図１】
0003229726.tif 000003
【図２】
0003229726.tif 000004
【図３】
0003229726.tif 000005
【図４】
0003229726.tif 000006